【手続補正書】
【提出日】平成16年6月1日(2004.6.1)
【手続補正１】
【補正対象書類名】明細書
【補正対象項目名】特許請求の範囲
【補正方法】変更
【補正の内容】
【特許請求の範囲】
【請求項１】
画像記録層上に、透明保護層及び／または光学変化素子層を設け、その上に破断伸度が５〜９０％の範囲の活性光線硬化樹脂層を設けたことを特徴とする画像記録体。
【請求項２】
画像記録層上に、透明保護層及び／または光学変化素子層を設け、その上に静表面摩擦係数０．５〜０．０１の範囲の活性光線硬化樹脂層を設けたことを特徴とする画像記録体。
【請求項３】
前記活性光線硬化樹脂層に、非硬化型樹脂を含むことを特徴とする請求項１または請求項２に記載の画像記録体。
【請求項４】
前記活性光線硬化樹脂層に、平均分子量が５０００〜５００００の不飽和基含有樹脂を含むことを特徴とする請求項１または請求項２に記載の画像記録体。
【請求項５】
前記活性光線硬化樹脂層に、Ｓｉ、Ｆ化合物を含むことを特徴とする請求項１または請求項２に記載の画像記録体。
【請求項６】
前記Ｓｉ、Ｆ化合物は、不飽和基含有Ｓｉ、Ｆ化合物を含むことを特徴とする請求項５に記載の画像記録体。
【請求項７】
前記活性光線硬化樹脂層に、カップリング剤を含むことを特徴とする請求項１または請求項２に記載の画像記録体。
【請求項８】
請求項１乃至請求項７のいずれか１項に記載の活性光線硬化樹脂層を設けた後に、活性光線により露光を行い硬化層を形成することを特徴とする画像記録体作成方法。
【請求項９】
画像記録層上に、透明保護層及び／または光学変化素子層を設け、その上に請求項１乃至請求項７のいずれかに１項に記載の活性光線硬化樹脂層を設け、その後に、活性光線により露光を行い硬化層を形成することを特徴とする画像記録体作成方法。
【請求項１０】
離型性支持体の離型性を有する側に、少なくとも破断伸度が５〜９０％の範囲の樹脂層を有することを特徴とする転写箔。
【請求項１１】
離型性支持体の離型性を有する側に、少なくとも静表面摩擦係数０．５〜０．０１の範囲の樹脂層を有することを特徴とする転写箔。
【請求項１２】
前記樹脂層が、少なくとも１層以上の活性光線硬化樹脂層からなることを特徴とする請求項１０または請求項１１に記載の転写箔。
【請求項１３】
前記樹脂層に、非硬化樹脂を含むことを特徴とする請求項１０乃至請求項１２のいずれかに１項に記載の転写箔。
【請求項１４】
前記樹脂層に、平均分子量が５０００〜５００００の不飽和基含有樹脂を含むことを特徴とする請求項１０乃至請求項１２のいずれかに１項に記載の転写箔。
【請求項１５】
前記樹脂層に、Ｓｉ、Ｆ化合物を含むことを特徴とする請求項１０乃至請求項１２のいずれかに１項に記載の転写箔。
【請求項１６】
前記Ｓｉ、Ｆ化合物に、不飽和基含有Ｓｉ、Ｆ化合物を含むことを特徴とする請求項１５に記載の転写箔。
【請求項１７】
前記樹脂層に、カップリング剤を含むことを特徴とする請求項１０乃至請求項１２のいずれかに１項に記載の転写箔。
【請求項１８】
前記樹脂層形成後、中間層、接着層を順次設けたことを特徴とする請求項１０乃至請求項１７のいずれかに１項に記載の転写箔。
【請求項１９】
前記樹脂層形成後、光学変化素子層、中間層、接着層を順次設けたことを特徴とする請求項１０乃至請求項１７のいずれかに１項に記載の転写箔。
【請求項２０】
請求項１０乃至請求項１９のいずれか１つ上の転写箔を転写することを特徴とする画像記録体。
【請求項２１】
請求項１０乃至請求項１９のいずれか２つ上の転写箔を転写することを特徴とする画像記録体。
【請求項２２】
請求項１８または請求項１９に記載の転写箔を、被着体に転写したことを特徴とする画像記録体作成方法。
【請求項２３】
請求項１８に記載の転写箔を、画像記録層上に透明保護層及び／または光学変化素子層をあらかじめ転写している被着体に転写したことを特徴とする画像記録体作成方法。
【請求項２４】
離型性支持体の離型性を有する側に、請求項１２乃至請求項１８のいずれか１項に記載の活性光線硬化層塗布後、活性光線により露光を行い硬化層を形成し、その後中間層、接着層を順次設けたことを特徴とする転写箔製造方法。
【請求項２５】
離型性支持体の離型性を有する側に、請求項１９に記載の活性光線硬化層塗布後、活性光線により露光を行い硬化層を形成し、その後光学変化素子層、中間層、接着層を順次設けたことを特徴とする転写箔製造方法。
【請求項２６】
離型性支持体の離型性を有する側に、請求項１９に記載の活性光線硬化層塗布後、活性光線により露光を行い硬化層を形成し、その後接着層、光学変化素子層、中間層、接着層を順次設けたことを特徴とする転写箔製造方法。
【請求項２７】
請求項２２乃至請求項２４のいずれか１項に記載の転写箔製造方法により製造された転写箔を、被着体に転写したことを特徴とする画像記録体作成方法。
【請求項２８】
請求項２４乃至請求項２６のいずれか１項に記載の転写箔製造方法により製造された転写箔を、被着体に１回以上転写することを特徴とする画像記録体作成方法。
【請求項２９】
請求項２４乃至請求項２６のいずれか１項に記載の転写箔製造方法により製造された転写箔を、被着体に２回以上転写することを特徴とする画像記録体作成方法。
【請求項３０】
請求項２４乃至請求項２６のいずれか１項に記載の転写箔製造方法により製造された転写箔を、光学変化素子層をあらかじめ転写している被着体に転写したことを特徴とする画像記録体作成方法。
【請求項３１】
請求項１８、請求項１９、請求項２４乃至請求項２６記載の中間層が、重合度１０００以上のポリビニルブチラール樹脂またはポリブチラールの熱硬化樹脂を少なくとも含み、接着層にウレタン変性エチレンエチルアクリレート共重合体及びポリアクリル酸エステル共重合体を少なくとも含むことを特徴とする画像記録体作成方法。
【請求項３２】
請求項２７乃至請求項３０のいずれか１項に記載の中間層が重合度１０００以上のポリビニルブチラール樹脂またはポリブチラールの熱硬化樹脂を少なくとも含み、接着層にウレタン変性エチレンエチルアクリレート共重合体及びポリアクリル酸エステル共重合体を少なくとも含むことを特徴とする画像記録体作成方法。
【請求項３３】
少なくとも片側の中心線平均粗さ（Ｒａ）で０．０５〜０．５μｍの範囲の支持体を用いたことを特徴とする転写箔。
【請求項３４】
支持体上に転写層を設けた転写箔において、未転写側の中心線平均粗さ（Ｒａ）で０．０５〜０．５μｍの範囲の支持体を用いたことを特徴とする転写箔。
【請求項３５】
請求項３３または請求項３４の転写箔のコアにかかる巻き取り張力が０．６〜７ｋｇの範囲であることを特徴とする転写箔ロール。
【請求項３６】
少なくとも片側の中心線平均粗さ（Ｒａ）で０．０５〜０．５μｍの範囲の支持体を用いたことを特徴とする請求項１０乃至請求項１９、請求項３３または請求項３４のいずれか１項に記載の転写箔。
【請求項３７】
請求項３６記載の転写箔のコアにかかる巻き取り張力が０．６〜７ｋｇの範囲であることを特徴とする転写箔ロール。
【請求項３８】
請求項１乃至請求項３７にかかる画像記録体に、個人情報として顔画像、住所、名前、生年月日等の個人情報が記載してあることを特徴とする個人認証カード。
【手続補正２】
【補正対象書類名】明細書
【補正対象項目名】０００４
【補正方法】変更
【補正の内容】
【０００４】
【発明が解決しようとする課題】
しかしながら、従来方式のカードの製造方法によれば、例えばラミネートフィルムとホログラムシートとが別々に形成され、ラミネートコーティング工程を経た後に、余分なラミネートフィルムが裁断されているが、特に顔写真付きの社員証や免許証等においては、画像上に傷が付き本人確認できなくなることを避けるために、製造工程において、カードの表面上でのひっかき傷やシワの発生を防ぎ、さらにホログラムシートをロール状に巻いて長期保存してもブロッキングすることを防ぐように留意する必要がある。
【手続補正３】
【補正対象書類名】明細書
【補正対象項目名】００１０
【補正方法】変更
【補正の内容】
【００１０】
請求項４に記載の発明は、『前記活性光線硬化樹脂層に、平均分子量が５０００〜５００００の不飽和基含有樹脂を含むことを特徴とする請求項１または請求項２に記載の画像記録体。』である。
【手続補正４】
【補正対象書類名】明細書
【補正対象項目名】００２０
【補正方法】変更
【補正の内容】
【００２０】
請求項１４に記載の発明は、『前記樹脂層に、平均分子量が５０００〜５００００の不飽和基含有樹脂を含むことを特徴とする請求項１０乃至請求項１２のいずれかに１項に記載の転写箔。』である。
【手続補正５】
【補正対象書類名】明細書
【補正対象項目名】００５５
【補正方法】変更
【補正の内容】
【００５５】
樹脂付与部６０には、転写箔カセット６１が配置され、この転写箔カセット６１に対応して熱転写ヘッド６２が配置されている。転写箔カセット６１に樹脂転写箔６６がセットされ、この樹脂転写箔６６を転写し樹脂転写層６６０が設けられる。
【手続補正６】
【補正対象書類名】明細書
【補正対象項目名】００５８
【補正方法】変更
【補正の内容】
【００５８】
保護付与部及び又は光学変化素子付与部４０では、光学変化素子転写層４３０及び／又は透明保護転写層６４０が設けられる。樹脂付与部６０では、情報担持層５２上に透明保護転写層６４０及び／又は光学変化素子転写層４３０で形成された画像記録体上に樹脂転写箔６６を熱転写し樹脂転写層６６０が設けられる。
【手続補正７】
【補正対象書類名】明細書
【補正対象項目名】００６４
【補正方法】変更
【補正の内容】
【００６４】
透明保護層及び／又は光学変化素子転写付与部／又は樹脂層付与部７０には、転写箔カセット７１が配置され、この転写箔カセット７１に対応して熱転写ヘッド７２が配置されている。硬化型樹脂層含有光学変化素子転写箔４４を転写し、硬化型樹脂層含有光学変化素子転写層４４０が設けられる。
【手続補正８】
【補正対象書類名】明細書
【補正対象項目名】００６５
【補正方法】変更
【補正の内容】
【００６５】
この発明では、透明保護転写箔とは、画像を保護する透明保護箔であり、透明保護層とは、画像を保護する透明保護層である。また樹脂層とは、この発明にあたる破断伸度、摩擦係数を規定した樹脂を有する層である。また活性硬化線樹脂層とは、樹脂層の種類の一部であり、この発明では好ましい実施形態であるが、図１及び図２に示すように製造上樹脂層に限定される場合がある。また硬化型樹脂層含有光学変化素子層とは、硬化層と光学変化素子層が一体になっている層のことを表す。また保護性付与転写箔とは、樹脂層（好ましくは活性光線硬化性樹脂）を少なくとも一層含む転写箔のことを表す。
【手続補正９】
【補正対象書類名】明細書
【補正対象項目名】００７１
【補正方法】変更
【補正の内容】
【００７１】
これらの樹脂転写箔６６は、樹脂転写層６６０が支持体６６ｂから剥離して転写される。
【手続補正１０】
【補正対象書類名】明細書
【補正対象項目名】０１２９
【補正方法】変更
【補正の内容】
【０１２９】
転写箔の剥離層としては、高ガラス転移温度を有するアクリル樹脂、ポリビニルアセタール樹脂、ポリビニルブチラール樹脂などの樹脂、ワックス類、シリコンオイル類、フッ素化合物、水溶性を有するポリビニルピロリドン樹脂、ポリビニルアルコール樹脂、Ｓｉ変性ポリビニルアルコール、メチルセルロース樹脂、ヒドロキシセルロース樹脂、シリコン樹脂、パラフィンワックス、アクリル変性シリコーン、ポリエチレンワックス、エチレン酢酸ビニルなどの樹脂が挙げられ、他にポリジメチルシロキサンやその変性物、例えばポリエステル変性シリコーン、アクリル変性シリコーン、ウレタン変性シリコーン、アルキッド変性シリコーン、アミノ変性シリコーン、エポキシ変性シリコーン、ポリエーテル変性シリコーン等のオイルや樹脂、またはこの硬化物、等が挙げられる。他のフッ素系化合物としては、フッ素化オレフィン、パーフルオロ燐酸エステル系化合物が挙げられる。好ましいオレフィン系化合物としては、ポリエチレン、ポリプロピレン等の分散物、ポリエチレンイミンオクタデシル等の長鎖アルキル系化合物等が挙げられる。これらの離型剤で溶解性の乏しいものは分散するなどして用いることができる。
【手続補正１１】
【補正対象書類名】図面
【補正対象項目名】図５
【補正方法】変更
【補正の内容】
【図５】
2001096956.tif 000001
【手続補正１２】
【補正対象書類名】図面
【補正対象項目名】図６
【補正方法】変更
【補正の内容】
【図６】
2001096956.tif 000002
【手続補正１３】
【補正対象書類名】図面
【補正対象項目名】図１０
【補正方法】変更
【補正の内容】
【図１０】
2001096956.tif 000003
【手続補正１４】
【補正対象書類名】図面
【補正対象項目名】図１４
【補正方法】変更
【補正の内容】
【図１４】
2001096956.tif 000004
【手続補正１５】
【補正対象書類名】図面
【補正対象項目名】図１５
【補正方法】変更
【補正の内容】
【図１５】
2001096956.tif 000005